(57)【要約】【課題】製品情報が記憶されたＩＣタグを容易に取り除くことが可能なＩＣタグ付蓋体を提供する。【解決手段】天板３０、天板周縁部から降下したスカート壁３１を有し、天板３０の上面には、上端が内方に屈曲した環状突起５３が形成されており、この環状突起５３によって、製品情報が記憶されたＩＣタグ５５が天板３０の上面に係止されている蓋体において、環状突起５３には、少なくとも１個の切欠き部５７が形成されていることを特徴とする。【選択図】図１
2008021082.tif 000002
【特許請求の範囲】
【請求項１】
天板と、天板周縁部から降下したスカート壁とを有し、該天板の上面には、上端が内方に屈曲した環状突起が形成されており、この環状突起によって、製品情報が記憶されたＩＣタグが天板上面に係止されている蓋体において、
前記環状突起には、少なくとも１個の切欠き部が形成されていることを特徴とするＩＣタグ付蓋体。
【請求項２】
前記切欠き部が、天板中心部を通る直線上に位置するように、少なくとも２箇所に形成されている請求項１に記載のＩＣタグ付蓋体。
【請求項３】
前記天板には、前記スカート壁を外部から押圧したときの該天板の変形を促進するための薄肉部が形成されている請求項１または２に記載のＩＣタグ付蓋体。
【請求項４】
前記薄肉部は、一対の前記切欠き部を結ぶ直線に沿って、線状に形成されている請求項３に記載のＩＣタグ付蓋体。
【請求項５】
前記スカート壁には、前記切欠き部が形成されている部分に対応する位置に、高さ方向に延びているスコアが形成されている請求項１乃至４の何れかに記載のＩＣタグ付蓋体。
【請求項６】
天板と、天板周縁部から降下したスカート壁とを有し、該天板の上面には、上端が内方に屈曲した環状突起が形成されており、この環状突起によって、製品情報が記憶されたＩＣタグが天板上面に係止されている蓋体において、
前記環状突起には、引き裂き可能な弱化線が少なくとも周方向の一部に形成されており、該環状突起の外面には、弱化線引き裂き用の摘み片が形成されており、該摘み片を周方向に引っ張ることにより、該弱化線が引き裂かれ、前記ＩＣタグが天板上面から取り外されることを特徴とするＩＣタグ付蓋体。
【発明の詳細な説明】
【技術分野】
【０００１】
本発明は、製品情報が記憶されたＩＣタグが天板に装着されたＩＣタグ付蓋体に関する。
【背景技術】
【０００２】
従来、各種の製品には、製造年月日、製造・販売者名、使用期限などの製品情報を表示したバーコードが広く利用されている。ところで、バーコードは、コード化された情報をリーダーで読取るため、バーコードの印刷面を平面とする必要があり、このため、ボトルやキャップなどの包装材料の分野では、バーコードの印刷面が制限され、また、コード化できる情報量も限られたものとなってしまうという問題がある。
【０００３】
そこで、最近では、ＩＣタグを用いた情報表示の技術が利用されるようになってきた。ＩＣタグとは、ＲＦＩＤ (Radio Frequency Identification)とも呼ばれるものであり、所定の情報が記憶されたＩＣチップを無線アンテナとともに樹脂やガラス等の誘電体材料に埋め込んでタグ（荷札）状に形成した超小型の通信端末である。このようなＩＣタグは、無線通信により、ＩＣチップに記憶された製品情報を読取るものであり、例えばＩＣチップのメモリには、数百バイトのデータを記録することができ、多くの製品情報を記録できるという利点がある。また、ＩＣタグは、非接触で記録された情報を読取ることができ、接触による摩耗などの問題もなく、さらには、商品の形態に併せた形状に加工したり、小型化、薄型化なども可能であるという利点がある。
【０００４】
このようなＩＣタグが設けられた蓋体として、特許文献１及び２には、天板にＩＣタグが埋め込まれたものが提案されている。
【特許文献１】特開２００６−６２７１６号公報
【特許文献２】特開２００５−３２１９３５号公報
【発明の開示】
【発明が解決しようとする課題】
【０００５】
しかしながら、最近では、資源の再利用の観点から分別廃棄が要求されており、上述したＩＣタグが埋め込まれた蓋体では、使用済みの蓋体からのＩＣタグの取り出しが困難であり、分別廃棄が可能な蓋体が求められている。
【０００６】
従って、本発明の目的は、製品情報が記憶されたＩＣタグを容易に取り除くことが可能なＩＣタグ付蓋体を提供することにある。
【課題を解決するための手段】
【０００７】
本発明によれば、天板と、天板周縁部から降下したスカート壁とを有し、該天板の上面には、上端が内方に屈曲した環状突起が形成されており、この環状突起によって、製品情報が記憶されたＩＣタグが天板上面に係止されている蓋体において、
前記環状突起には、少なくとも１個の切欠き部が形成されていることを特徴とするＩＣタグ付蓋体が提供される。
【０００８】
上記のＩｃタグ付容器蓋においては、
（１）前記切欠き部が、天板中心部を通る直線上に位置するように、少なくとも２箇所に形成されていること、
（２）前記天板には、前記スカート壁を外部から押圧したときの該天板の変形を促進するための薄肉部が形成されていること、
（３）前記薄肉部は、一対の前記切欠き部を結ぶ直線に沿って、線状に形成されていること、
（４）前記スカート壁には、前記切欠き部が形成されている部分に対応する位置に、高さ方向に延びているスコアが形成されていること、
が好適である。
【０００９】
本発明によれば、また、天板と、天板周縁部から降下した筒状側壁とを有し、該天板の上面には、上端が内方に屈曲した環状突起が形成されており、この環状突起によって、製品情報が記憶されたＩＣタグが天板上面に係止されている蓋体において、
前記環状突起には、引き裂き可能な弱化線が少なくとも周方向の一部に形成されており、該環状突起の外面には、弱化線引き裂き用の摘み片が形成されており、該摘み片を周方向に引っ張ることにより、該弱化線が引き裂かれ、前記ＩＣタグが天板上面から取り外されることを特徴とするＩＣタグ付蓋体が提供される。
【発明の効果】
【００１０】
本発明のＩＣタグ付蓋体においては、天板の上面にＩＣタグが嵌合固定されているが、このＩＣタグは、格別の工具を用いることなく、容易に天板から取り外すことができる。
例えば、ＩＣタグを係止している環状突起に切欠き部が形成されている態様のＩＣタグ付蓋体では、スカート壁を手で握り締めて外方から押圧することにより、天板がドーム状に変形し（即ち、しなる）、天板の変形に伴って、環状突起の切欠き部が大きく開くように変形し、この部分でＩＣタグに指を引っ掛けて持ち上げることによって、ＩＣタグを上蓋から取り除くことができる。
また、前記環状突起に引き裂き可能な弱化線が形成されているタイプのものでは、該弱化線を引き裂いて該環状突起に係止されていたＩＣタグを容易に取り除くことができる。
このように、本発明のＩＣタグ付蓋体は、ＩＣタグを容易に取り除くことができ、優れた分別廃棄性を有している。
【発明を実施するための最良の形態】
【００１１】
本発明を、以下、添付図面に示す具体例に基づいて説明する。
図１は、本発明のＩＣタグ付蓋体を上蓋として備えた容器蓋の上蓋を開いた状態での平面図であり、
図２は、図１の容器蓋の側断面図（Ａ−Ａ断面図）であり、
図３は、図１の容器蓋における上蓋の上面図であり、
図４は、本発明のＩＣタグ付蓋体の他の例である容器蓋を示す上面図であり、
図５は、図４の容器蓋の上蓋を示す側断面図（Ｂ−Ｂ断面図）であり、
図６は、図４の容器蓋の上蓋の要部を拡大して示す部分拡大断面図である。
【００１２】
図１乃至図３において、この容器蓋は、容器口部に嵌合固定されるキャップ本体１と、本発明のＩＣタグ付蓋体である上蓋３とから成っている。
【００１３】
キャップ本体１は、筒状側壁５と、筒状側壁５の上端部分を閉じている頂板部７とを有している。
【００１４】
筒状側壁５の内面には、その下方部分に環状の係合突起９が形成され、上方部分には、やはり環状の小突起１１が形成されている。即ち、これらの係合突起９及び小突起１１が、容器口部壁（図示せず）の外面に係合するものである。また、下方の係合突起９には、その下側部分に切欠き部９ａが部分的に形成されており、これにより、容器蓋（キャップ本体１）の軽量化が達成される。
【００１５】
また、頂板部７の内面には、筒状側壁５とは間隔をおいて下方に延びているインナーリング１３が設けられている。即ち、このインナーリング１３と筒状側壁５との間の空間に容器口部が嵌め込まれ、前述した係合突起９及び小突起１１が、容器口部壁の外面に係合することにより、キャップ本体１がしっかりと容器口部に固定され、インナーリング１３の外面が容器口部壁の内面に密着することにより、シール性が確保される。
【００１６】
さらに、頂板部７には、無端状のスコア１５が形成されており、この無端状スコア１５で囲まれた領域内においては、頂板部７の外面に、スコア１５の近傍から立ち上がっている支柱１７が設けられており、支柱１７の上端に、スコア破断用のプルリング１９が形成されている。即ち、プルリング１９を引っ張ることにより、無端状のスコア１５が引き裂かれ、これにより、容器内容液を注出するための開口が形成される。
【００１７】
頂板部７の上面において、上記の無端状スコア１５の外側には、注出された液の案内となる注出筒２１が設けられている。この注出筒２１は、その上端がラッパ状に広がっており、特に、上蓋３との接続部と反対側の部分は、嘴形状の注出口２１ａとなっている。また、特に図２から理解されるように、注出筒２１の上蓋３側が、背が低くなっており、上蓋３の閉栓の妨げとならないように構成されている。
【００１８】
上記の注出筒２１の外側には、背の低い周状突起２３が設けられている。この周状突起１３は、上蓋３と係合することにより、上蓋３の閉栓状態を安定に保持するものである。
【００１９】
一方、上蓋３は、キャップ本体１の筒状側壁５の上端部分にヒンジバンド２５によってヒンジ連結されている。また、ヒンジバンド２５の周方向両端には、補助バンド２７，２７が設けられており、この補助バンド２７は、図２から理解されるように、ヒンジバンド２５よりもやや低い位置で筒状側壁５と上蓋３とを連結しており、この補助バンド２７によるテンションによって、上蓋３を旋回して開けた時、一定の開栓状態が保持され、内容液の注出が妨げられないようになっている。
【００２０】
また、上蓋３は、天板３０と、天板３０の周縁から延びているスカート壁３１とから形成されており、スカート壁３１の外面の下端部分（上蓋を閉じた状態での下方部分）には、前述したヒンジバンド２５及び補助バンド２７，２７が連結されている。
【００２１】
天板３０の内面には、シールリング３３が設けられており、上蓋３を旋回して閉じたとき、このシールリング３３が注出液案内用の注出筒２１の内面に密着することにより、スコア１５を破断しての注出用開口形成後のシール性が確保される。
【００２２】
また、上蓋３のスカート壁３１の外面には、前述したヒンジバンド２５が連結されている部分とは反対側部分に、開封用鍔３５が設けられている。この開封用鍔３５の下面には、滑り止め用の偏平状突部３７が形成されている。この開封用鍔３５を指で引っ掛けて上蓋３を上方に持ち上げることにより上蓋３の開封を容易に行うことができる。また、図１から明らかなように、開封用鍔３５の下面には、上記の偏平状突部３７に沿って肉抜き部３９が形成されており、これにより、開封用鍔３５におけるヒケの防止と材料の軽減が図られている。また、肉抜き部３９内には、リブ５０が形成されており、肉抜き部３９の形成による強度低下を回避している。
【００２３】
本発明においては、図２及び図３に示されているように、天板３０の外面に、先端が内方に屈曲している環状突起５３が形成されており、この環状突起５３内に、ＩＣタグ５５が係止されている。このＩＣタグ５５は、先にも説明したように、容器内容液等の製品情報（製造年月日、製造・販売者、使用期限など）が多く記録されたＩＣチップと無線アンテナとが樹脂やガラスなどの誘電体材料に埋め込まれたものであり、その形状は、環状突起５３内で固定が可能であれば特に制限されないが、通常は、位置ずれなどがなく、しっかりと固定でき、しかも外観を損なわないという観点から円形であることが好ましい。また、その厚みは、フイルム状ではなく、ある程度形状が保てる厚みであるのが好ましい。このＩＣタグ５５を環状突起５３内で固定するには、上方に延びた環状突起内にＩＣタグ５５を配置して、その後にこの上方に延びた環状突起を加熱ポンチで内側に変形して環状突起５３を形成することにより行われる。また、予め上端が内方に屈曲した環状突起５３を成形しておき、このような環状突起５３内にＩＣタグ５５を嵌め込むことも可能である。
【００２４】
ところで、上記のようなＩＣタグ５５は、この容器蓋を廃棄する際に、この容器蓋から取り除いて分別廃棄することが求められる。本発明においては、このために、天板３０の環状突起５３には、切欠き部５７が設けられている。このような切欠き部５７を形成することにより、係止されているＩＣタグ５５を環状突起５３から開放し、容易に取り除くことができる。即ち、上蓋３を開放した状態で、スカート壁３１を手で握り締めて外方（Ｙ方向）から押圧すると、スカート壁３１の変形によって天板３０がドーム状に変形し、この結果、環状突起５３に形成されている切欠き部５７は、大きく開いた状態となる。このため、大きく開いた切欠き部５７の部分でＩＣタグ５５が取り除かれるか、或いは、指を引っ掛けて持ち上げることによって、ＩＣタグ５５を上蓋３から容易に取り除くことができるのである。
【００２５】
また、上記のようにしてＩＣタグ５５を取り出す場合、切欠き部５７の数は１個でもよいが、図２に示されているように、切欠き部５７を複数形成し（図では２個形成されている）、少なくとも一対の切欠き部５７，５７が、天板３０の中心部Ｏを通る直線Ｘ上に位置するように配置されていることが好適である。即ち、このような位置関係に一対の切欠き部５７，５７を形成しておくと、スカート壁３１を手で握り締めて外方（Ｙ方向）から押圧したとき、直線Ｘを中心として、環状突起５３が２つに割れ、切欠き部５７が大きく開くため、ＩＣタグ５５をより取り除き易くなる。
【００２６】
特に、上記のような一対の切欠き部５７，５７は、図３に示されているように、これを結ぶ直線Ｘが、開封用鍔３５の中心とヒンジバンド２５の中心とを結ぶ直線Ｙ（天板３０の中心とキャップ本体１の中心とを結ぶ直線に相当）に対して直交するように位置せしめることが最適である。即ち、上蓋３には、キャップ本体１が連なっているため、上蓋３（スカート壁３１）を強く手で握り締めるとき、直線Ｙと直交する部分が最も大きく変形しやすく、この結果、この部分に一対の切欠き部５７，５７を形成しておくことにより、切欠き部５７，５７が大きく開くように、環状突起５３が変形し易くなるからである。
【００２７】
さらに、本発明においては、図３に示されているように、天板３０に薄肉部５９を形成しておくこともできる。この薄肉部５９は、スカート壁３１を外方から押圧したときに天板３０を変形し易くし、これにより、環状突起５３の変形を促進させ、切欠き部５７を大きく開かせるものである。このような薄肉部５９は、特に、一対の切欠き部５７，５７を結ぶ直線Ｘを含むように、線状に形成されていることが最も好適である。このような線状に薄肉部５９を形成しておくと、上蓋３（スカート壁３１）を手で握り締めるとき、薄肉部５９を稜線とする山形形状に天板３０が変形し、従って、切欠き部５７が位置する部分において、ＩＣタグ５５と天板３０の上面との間に比較的大きな隙間が形成され、この結果、ＩＣタグ５５を一層容易に取り除くことが可能となるからである。
【００２８】
本発明においては、また、図１及び図２に示されているように、前述した切欠き部５７が形成されている部分に対応する位置に、高さ方向に延びているスコア６０が設けられている。即ち、このようなスコア６０を設けておくと、スカート壁３１を握り締めたときに、スカート壁３１はスコア６０を支点として押し潰されたように変形し、しかも変形の支点となるスコア６０の延長線上に環状突起５３の切欠き部５７が位置しているため、該切欠き部５７は大きく開き、従って、ＩＣタグを取り出し易くなるからである。
【００２９】
上記のようなスカート壁３１に形成されるスコア６０は、図２に示されているように、スカート壁３１の下端から高さ方向に延びていることが、スカート壁３１を容易に変形させる上で好ましい。また、このスコア６０は、天板３０まで延びていてもよいが、天板３０までスコア６０が延びていると、スカート壁３１の強度低下が大きくなり、通常の開栓及び閉栓時に上蓋３が変形するおそれを生じる。従って、スコア６０の上端６０ａは、天板３０よりもやや下方に位置していることが好適である。
【００３０】
このように、環状突起５３に切欠き部５７が形成されている上蓋３は、スカート壁３１を握り締めて外方から押圧することにより、ＩＣタグ５５を格別の工具を用いることなく、容易に上蓋３から取り外すことができ、優れた分別廃棄性を有している。
【００３１】
上述した図１乃至図３は、環状突起５３に切欠き部５７を形成して、スカート壁３１を押圧して変形することにより、切欠き部５７が大きく開くように環状突起５３を変形させてＩＣタグ５５を取り除くものであるが、このようにスカート壁の変形によらず、環状突起５３自体を破断することにより、ＩＣタグ５５を取り除くことも可能であり、このような例を図４及び図５、並びに要部部分拡大図である図６に示した。
【００３２】
図４乃至図６に示されている容器蓋は、上蓋３の環状突起５３の形態が異なっている点を除けば、図１乃至図３における容器蓋と実質的に同じ構造を有している。従って、同じ部材は、同じ印照数字で示されている。
【００３３】
図４乃至図６において、この容器蓋における上蓋３では、先端が内方に屈曲した環状突起５３の付け根部分には、図６に示されているように、引き裂き可能な弱化部６１が形成されている。この弱化部６１が形成されている領域は、図４において、点線Ｚで示されており、この例では、環状突起５３の全周にわたって弱化部６１が延びている。また、図６から理解されるように、この環状突起５３の外周面には、弱化部６１が形成されている部分の上方部分に、摘み片６３が設けられている。
【００３４】
即ち、この例における上蓋３では、摘み片６３を手で引っ張っていくことにより、弱化部６１が引き裂かれ、この結果、環状突起５３によって嵌合固定されているＩＣタグ５５は、環状突起５３から解放され、速やかに上蓋３から取り外されることとなる。
【００３５】
このような態様において、線状に延びている弱化部６１は、所謂、ミシン目であってもよいし、またスコアであってもよく、摘み片６３を引っ張って容易に引き裂かれるのであれば、どのような形態を有していてもよい。また、図１の例では、弱化部６１は、環状突起５３の全周にわたって延びているが、弱化部６１を引き裂いた後のＩＣタグ５５の取り外しが容易に行われる程度の長さを有していれば、周方向の一部のみに弱化部６１が形成されていてもよい。この場合には、摘み片６３の弱化部６１が形成されていない側には切欠き部が形成されていることが重要であり、弱化部６１は半周以上にわたって延びているのが好ましい。
【００３６】
尚、図４乃至図６の態様の上蓋３は、弱化部６１を引き裂くことにより、環状突起５３を破断してＩＣタグ５５を取り除くものであるため、図１乃至図３に示されているような薄肉部５９及びスコア６０は設けられていない。
【００３７】
上述したように、本発明においては、ＩＣタグ５５の上蓋３からの取り外しを格別の工具を用いることなく、速やかに行うことができ、優れた分別廃棄性を確保することができる。
【００３８】
上述した図１乃至図６では、キャップ本体１にヒンジ連結された上蓋３を、本発明のＩＣタグ付蓋体とした例を示したが、本発明の蓋体は、このような上蓋に限定されて適用されるものではなく、例えば、容器口部に固定されるキャップ本体に螺子締結される上蓋、或いは容器口部に直接螺子締結される容器蓋に適用することができるのは言うまでもない。
【図面の簡単な説明】
【００３９】
【図１】本発明のＩＣタグ付蓋体を上蓋として備えた容器蓋の上蓋を開いた状態での平面図。
【図２】図１の容器蓋の側断面図（Ａ−Ａ断面図）。
【図３】図１の容器蓋における上蓋の上面図。
【図４】本発明のＩＣタグ付蓋体の他の例を上蓋として備えた容器蓋を示す上面図。
【図５】図４の容器蓋を示す側断面図（Ｂ−Ｂ断面図）。
【図６】図４の容器蓋における上蓋の要部を拡大して示す部分拡大断面図。
【符号の説明】
【００４０】
３０：天板
３１：スカート壁
５３：環状突起
５５：ＩＣタグ
５７：切欠き
５９：薄肉部
６０：スコア
６１：弱化部
６３：摘み片
【図１】
2008021082.tif 000003
【図２】
2008021082.tif 000004
【図３】
2008021082.tif 000005
【図４】
2008021082.tif 000006
【図５】
2008021082.tif 000007
【図６】
2008021082.tif 000008